Podtech/llm-jp-corpus-v4-ja_patent huggingface dataset:
(57)【要約】【課題】  釣船の船縁に釣竿掛け具を固定する際に、固定用の木製補助ブロックを使用せず、かつ、ねじを何周も回転させることなく簡便に装着できる釣竿掛け具を提供すること。【解決手段】  本考案は、トグルクランプを設置した移動板を保持体に装着し、トグルクランプの開閉機構により簡便に釣船の船縁に着脱を行うことができる。保持体には長孔が設けてあり、移動板は長孔に挿通した移動板固定ねじによって固定され、移動板は長孔に沿って移動する構造になっているため、固定用の木製補助ブロックを使用することなく広範囲の船縁形状に対して固定が可能であり、従来技術の問題を解決している。【選択図】図１
0003126954.tif 000002
【実用新案登録請求の範囲】
【請求項１】
長孔を設けた保持体に釣竿の竿受具を取り付け、トグルクランプを設置した移動板を保持体の長孔に挿通した移動板固定ねじに装着し、保持体の長孔に沿って移動板を移動させ保持体の位置決め溝に移動板を挿入して移動板固定ねじで固定し、トグルクランプの開閉機構により釣船の船縁に着脱を行う釣竿掛け具。
【考案の詳細な説明】
【技術分野】
【０００１】  本考案は、釣船の船縁に簡便に着脱できる釣竿掛け具に関するものである。
【背景技術】
【０００２】  従来の釣竿掛け具は、釣船の船縁にねじ式で固定するため、何周もねじを回して固定しなければならない。また、釣船の船縁の形状によっては、固定用の木製補助ブロックを別途用意して船縁に設置し、これを介して釣竿掛け具を固定する必要がある。
【考案の開示】
【考案が解決しようとする課題】
【０００３】  本考案は、従来技術の欠点を解消した釣竿掛け具を提供することを目的とするものである。すなわち、釣船の船縁に釣竿掛け具を固定する際に、固定用の木製補助ブロックを使用せず、かつ、ねじを何周も回転させることなく簡便に装着できる釣竿掛け具を提供することを目的とするものである。
【課題を解決するための手段】
【０００４】  本考案は、トグルクランプを設置した移動板を保持体に装着し、トグルクランプの開閉機構により簡便に釣船の船縁に着脱を行うことができる。保持体には長孔が設けてあり、移動板は長孔に挿通した移動板固定ねじによって固定され、移動板は長孔に沿って移動する構造になっているため、固定用の木製補助ブロックを使用することなく広範囲の船縁形状に対して固定が可能であり、従来技術の問題を解決している。
【考案の効果】
【０００５】  本考案によれば、固定用の木製補助ブロックを使用することなくワンタッチで釣竿掛け具の着脱ができるため、釣船の船縁への固定や取り外しにおいて便利であり、釣竿掛け具の着脱作業に煩わされることなく釣を楽しむことができる。
【考案を実施するための最良の形態】
【０００６】  図１に釣竿掛け具の一例、図２に正面図、図３に側面図を示す。本考案は、図４及び図５に示すように、トグルクランプレバーを操作することによりトグルクランプの固定、解放を行う。図４が固定の状態であり、図５が解放の状態である。この機構を用いて、図６に示すように保持体船縁取付部とストッパーの間に釣船の船縁を挟んだ状態で釣竿掛け具を固定する。【０００７】  竿受具固定ねじを緩めて竿受具を適切な位置に設置し、竿受具固定ねじを締めて竿受具を固定する。竿受具に釣竿を設置して釣を行う。【０００８】  釣竿掛け具の位置を移動する場合、トグルクランプレバーを解放させて釣竿掛け具を船縁から取り外し、別の船縁の位置に釣竿掛け具を設置してトグルクランプレバーを操作して固定させる。
【実施例】
【０００９】  図３に示すように、移動板固定ねじを緩めると長孔に沿って移動板が動く構造になっている。取付の対象となる船縁の寸法に合わせ、移動板を位置決め溝の適切な箇所に挿入し移動板固定ねじを締める。図１は位置決め溝の最下部に移動板を挿入した状態を示しており、図４は同じく最上部に挿入した状態を示している。【００１０】  図６に示すように釣船の船縁に釣竿掛け具を固定させるため、ストッパーのねじを回してストッパーの位置を調整する。ストッパーの位置が確定したら、図２に示すようにストッパー固定ナットを締めてストッパーを固定する。【００１１】  釣船の船縁の形状及び寸法に合わして移動板及びストッパーの位置を決め、図４及び図５に示すようなトグルクランプの開閉機構を利用して、図６のように釣竿掛け具を船縁に固定する。【０００７】  竿受具固定ねじを緩めて竿受具を適切な位置に設置し、竿受具固定ねじを締めて竿受具を固定する。竿受具に釣竿を設置して釣を行う。【０００８】  釣竿掛け具の位置を移動する場合、トグルクランプレバーを解放させて釣竿掛け具を船縁から取り外し、別の船縁の位置に釣竿掛け具を設置してトグルクランプレバーを操作して固定させる。【００１２】  第二の実施例を図７に示す。釣船の船縁の形状によっては図７に示すような水平方向のクランプが適している場合がある。このときは、竿受具固定ねじを緩めて竿受具と竿受具固定座金を取り外し、図２及び図３に示すような横使い用タップを利用して、図７に示すように竿受具と竿受固定座金を竿受具固定ねじを用いて固定する。
【産業上の利用可能性】
【００１３】  この考案は、釣船の釣竿掛け具に関するものである。
【図面の簡単な説明】
【００１４】
【図１】釣竿掛けの一例を示した斜視図である。
【図２】同上の正面図である。
【図３】同上の側面図である。
【図４】同上の固定状態を示した斜視図である。
【図５】同上の解放状態を示した斜視図である。
【図６】同上の実施例を示した斜視図である。
【図７】同上の第二の実施例を示した斜視図である。
【符号の説明】
【００１５】１  竿受具
２  釣竿角度調整用長孔
３  竿受具固定ねじ
４  竿受具固定座金
５  保持体
６  保持体船縁取付部
７  横使い用タップ
８  長孔
９  位置決め溝
１０  移動板固定ねじ
１１  移動板
１２  トグルクランプ
１３  トグルクランプレバー
１４  ストッパー
１５  ストッパー固定ナット
１６  船縁
【図１】
0003126954.tif 000003
【図２】
0003126954.tif 000004
【図３】
0003126954.tif 000005
【図４】
0003126954.tif 000006
【図５】
0003126954.tif 000007
【図６】
0003126954.tif 000008
【図７】
0003126954.tif 000009
(57)【要約】【課題】本考案は、小型軽量の傾き金具に傾き溝を設けて釣台に固着し、傘を傾けて立てるようにする。【解決手段】本考案は傾き金具２に傘１が傾く傾き溝３を設けるとともに、傘しん棒５のずれを押さえる締めネジ４を設け、傾き金具の下部にささえ棒６を設けて釣台７に固着したことにより、簡単に傘を傾けて立てることができる。【選択図】図１
0003126955.tif 000002
【実用新案登録請求の範囲】
【請求項１】
傾き金具に傾き溝を設けるとともに、傘しん棒を押さえる締めネジを設け、当該傾き金具の下部にささえ棒を設けて釣台に固着してなる傘の傾き金具付き釣台。
【考案の詳細な説明】
【技術分野】
【０００１】  本考案は、傘を傾けて立てる傾き金具付き釣台に関するものである。
【背景技術】
【０００２】  へら鮒釣り等で用いる傘の傾きをだすには、釣台に傘立て万力を固定して傘を立て、傘しん棒の中間の割ったところに角度調整金具を取り付けて傘を傾けている。
【考案の開示】
【考案が解決しようとする課題】
【０００３】  しかし、傘立て万力と角度調整金具は釣りバックの荷となり、またどちらかを忘れたら傘の傾きをだすのに難儀することになる。また、万力はしっかり固定して置かないと、風にあおられ釣台から外れる危険性がある。従って、傘を傾けて立てる傾き金具に傾き溝を設けて釣台に固着したことにより、前述の欠点を解決するものである。
【課題を解決するための手段】
【０００４】  本考案は、傾き金具に傘を傾ける傾き溝を設けるとともに、傘しん棒のずれを押さえる締めネジを設け、傾き金具の下部にささえ棒を設けて釣台に固着したことにより、問題点を解決している。
【考案の効果】
【０００５】  上述の様に本考案は構成されているので、傘を傾けて立てる傾き金具は小型軽量に仕上がり、製品も安上がりにできる。また、釣りで急な雨にであったとき、す早く傘を傾けて立てられる。
【考案を実施するための最良の形態】
【０００６】  傾き金具に設けた傾き溝は、釣りで一般的に使われる傘の傾き角度の一つを選択し、傾き溝に通す傘しん棒は状況に応じて傘を上げたり下げたりした時のずれを締めネジで押さえるようにし、傾き金具の下部にささえ棒を設けて釣台に固着したことにより、傘を傾けて立てられるようになる。
【実施例】
【０００７】  以下、添付図面に従って一実施例を説明する。１傾き金具２に設けた傾き溝３の傾き角度は１５度とする。２傘しん棒５のずれを押さえる締めネジ４を設ける。３傾き金具はアルミ素材等にて下部に設ける長さ２０ｃｍ程度のささえ棒６と一体化形成して釣台７に固着する。【０００８】  本考案の一実施例は上述の如く構成されているから、傾き金具に設けた傾き溝は決められた一つの角度１５度にではあるが、とにかく傘１を傾けて立てることができる。
【図面の簡単な説明】
【０００９】
【図１】本考案の実施形態を示す傘の傾き金具付き釣台の傾き金具部分断面図である。
【符号の説明】
【００１０】  １  傘
２  傾き金具
３  傾き溝
４  締めネジ
５  傘しん棒
６  ささえ棒
７  釣台
【図１】
0003126955.tif 000003
(57)【要約】      （修正有）【課題】自動車の燃料補給時の誤給油を無くし、安全の向上を簡単でかつ確実に行う。【解決手段】当該自動車燃料補給口を燃料の種別で色表示することで給油の作業安全性向上を確実にした。【選択図】図１
0003126959.tif 000002
【実用新案登録請求の範囲】
【請求項１】
自動車燃料補給口扉の扉内側に色表示が施されていることを特徴とする自動車燃料補給口。
【請求項２】
扉内側色表示が、セルフ給油機のポンプノズル色表示と当該自動車の燃料表示色が同色であることを特徴とする請求項１記載の自動車燃料補給口。
【考案の詳細な説明】
【技術分野】
【０００１】  本考案は、セルフ給油機のノズル色表示と合致した色表示が、扉内側に施されている自動車燃料補給口に関する。
【背景技術】
【０００２】  従来の自動車燃料補給口は、給油所の担当者が操作・給油することを前提にしていたため、自動車燃料補給口内側には、当該車の燃料種別が示されている程度であった。
【考案の開示】
【考案が解決使用とする課題】
【０００３】  昨今、セルフ型給油所の増加でドライバー自身や同乗者が直接補給行為をする機会も増えてきている。
【０００４】  セルフ型給油機側のポンプノズルは油種別に色表示されているが、油種選択はタッチパネル方式等でおこなわれていて簡単であるが故、誤給油も多々発生している。
【０００５】  本考案は、誤給油による危険を視覚をもって向上しようとするものである。
【課題を解決するための手段】
【０００６】  解決するために、セルフ型給油機側のポンプノズルの色表示を利用して、当該自動車の油種表示をポンプノズル色と合致し施す事で、安全確認に対応し向上をはかる事ができるようにした。
【考案の効果】
【０００７】  自動車燃料補給口を開いて給油する際の当該車に、セルフ型給油機ポンプノズルの色表示と同じ色表示を扉内側に施す事で、給油者の視覚確認を無理なく向上させ、誤給油の発生を減少することを可能にした。
【考案を実施するための最良の形態】
【０００８】  扉内側色表示は、扉の裏面等に塗装やシールを貼って給油者に確認を容易にすることを可能にした。
【実施例】  以下、本考案の実施例を添付図面に基づき説明する。【０００９】  図中、１は自動車燃料補給口、２は補給口扉、２Ａは扉表面で車のボディと同色であり同一車に各色が有る、２Ｂは扉裏面で燃料補給油時に開かれ本考案の色表示に４と共に適当な箇所である。３はキャップ。
【図面の簡単な説明】
【００１０】
【図１】  図１は、自動車燃料補給口の色表示の実施箇所を示す図面である。
【図２】  図２は、自動車燃料補給口が閉じている状態を示す図面である。
【符号の説明】
１    自動車燃料補給口
２    補給口扉
２Ａ  扉表面
２Ｂ  扉裏面
３    キャップ
４    燃料補給口内部構成部
【図１】
0003126959.tif 000003
【図２】
0003126959.tif 000004
(57)【要約】      （修正有）【課題】茎を容易に細かく割き、生け花の作業をより簡単にできる花木用茎割き鋏を提供する。【解決手段】上刃１の噛合部分に設けられた茎割き用上刃１’と一体となった下ハンドル４、および下刃２の茎割き用下刃２’と一体となった上ハンドル５および上ハンドル５と下ハンドル４にそれぞれ設けられた貫通孔に挿入させる連結ピン３により構成される。連結ピン３は下ハンドル４と固定し、上ハンドル５は連結ピンと固定しないため自由に動かすことが出来る。上ハンドル５と下ハンドル４の間隔を上下に広げる操作を行うと、連結ピン３を中心として噛合部分の茎割き用上刃１’と茎割き用下刃２’が上下に広がり間隙が出来る。【選択図】図１
0003126549.tif 000002
【実用新案登録請求の範囲】
【請求項１】
鋏の上刃の凹部と下刃の凸部が交互に向かい合うように配列され、先端にいくほど凹凸部が小さく、かつ、凹凸部が狭く配列され、上刃と下刃を噛合させたとき上刃と下刃が完全に閉じないように隙間を設けたことを特徴とする花木用の茎割き鋏。
【考案の詳細な説明】
【産業上の利用分野】
【０００１】  本発明は生け花に花木を使用する場合、茎の端を細かく割くことにより、茎からの水分吸収を促進させ花木を長持ちさせるためのものである。
【背景技術】
【０００２】  花木の水分吸収を促進させるため茎の端を細かく割くか、砕く必要があるが、専用の道具が現存しないため、ハンマー等で茎の端を砕く必要があった。
【考案が解決しようとする課題】
【０００３】  現状では花木の寸法を決めて茎を鋏で切断した後、茎からの水分吸収を良くするために切断箇所の茎の端をハンマー等で砕くという作業を改めて行う必要があり、大変煩わしいものであった。
また、ハンマー等で砕くという作業により花木に振動を与え花が落ちることがあった。
本発明は、茎を容易に細かく割くことで、生け花の作業をより簡単にさせるために開発されたものである。
【課題を解決するための手段】
【０００４】  本発明は、上刃１の噛合部分に設けられた茎割き用上刃１’と一体となった下ハンドル４および下刃２の噛合部分に設けられた茎割き用下刃２’と一体となった上ハンドル５および上ハンドル５と下ハンドル４にそれぞれ設けられた貫通孔に挿入させる連結ピン３により構成される。
噛合部分に設けられた茎割き用上刃１’および下刃２’は先端にいくほど凹凸部を小さく、かつ、凹凸部の間隔を狭く設ける。
連結ピン３は下ハンドル４と固定し、上ハンドル５は連結ピン３と固定しないため自由に動かすことが出来る。上ハンドル５と下ハンドル４の間隔を上下に広げる操作を行うと、連結ピン３を中心として噛合部分の茎割き用上刃１’と茎割き用下刃２’が上下に広がり間隙が出来る。この間隙に花木の茎を垂直に挿入し、茎割きしようとする任意の位置で上ハンドル５および下ハンドル４を握りしめることにより茎割き用上刃１’と茎割き用下刃２’が噛合することで茎の端を細かく割くことが可能となる。
また、刃の先端にいくほど凹凸部を小さく、かつ、凹凸部の間隔を狭く設けることにより茎の太さの大きい木を凹凸の間隔の広い手前の刃で割き、茎の細い木を先端に近い方の凹凸の間隔の狭い刃で割くことが可能となる。
【作用】
【０００５】  本発明の鋏を使用することにより花木の茎の端を容易に細かく割くことが出来、生け花の作業をより簡単なものにすることが可能となり、茎からの水分吸収も効果的に行われることになる。
【実施例】
【０００６】  金属またはセラミックなどの硬い素材を使用し、茎割き用上刃１’および下刃２’に交互に噛合する凹凸を設け、かつ、刃の先端にいくほど凹凸部を小さく、かつ、凹凸部の間隔を狭く設ける。
下ハンドル４と上ハンドル５にそれぞれ設けられた貫通孔に連結ピン３を挿入し、下ハンドル４と連結ピン３を固定し、上ハンドル５は連結ピン３と固定させず自由に回転できる状態とする。上ハンドル５と下ハンドル４の間隔を上下に広げる操作を行うと、連結ピン３を中心として噛合部分の茎割き用上刃１’と茎割き用下刃２’が上下に広がり間隙が出来る。その間隙に茎を垂直に挿入し、任意の箇所で上ハンドル５と下ハンドル４を握り締めることにより茎割き用上刃１’と下刃２’を噛合させることで茎を細かく割くことを可能にする。
また、刃の先端にいくほど凹凸部を小さく、かつ、凹凸部の間隔を狭く設けることにより茎の太さの大きい木を凹凸の間隔の広い手前の刃で割き、茎の細い木を先端に近い方の凹凸の間隔の狭い刃で割くことを可能にする。
【考案の効果】
【０００７】  茎割き用上刃１’と下刃２’を噛合させることで容易に茎を割くことを可能にするとともに、茎の太さの大小に応じた茎割きを可能とした。
【図面の簡単な説明】
【図１】本考案の平面図である。
【図２】本考案の正面図である。
【図３】本考案の背面図である。
【符号の説明】
１上刃      １’茎割き用上刃      ２下刃      ２’茎割き用下刃
３連結ピン  ４下ハンドル      ５上ハンドル
【図１】
0003126549.tif 000003
【図２】
0003126549.tif 000004
【図３】
0003126549.tif 000005
(57)【要約】【課題】従来のペンチのはには磁石が付いていなかった。しがたって手工芸でするイヤリングなど小さな鎖をつなぐ作業が容易でなく不便だった。【解決手段】以下、添付図に従って説明する本考案は、ペンチ本体２の先に永久磁石１は永久磁石用の鋼鉄、クエライト等適宜素材にて一体化形成されたもので３は細い金属を切る刃、４はグリップカバー、以上の構成よりなるものである。【選択図】図１
0003126542.tif 000002
【実用新案登録請求の範囲】
【請求項１】
ペンチの先に永久磁石を設けたペンチ
【考案の詳細な説明】
【技術分野】
【０００１】  この考案は、ペンチのはしに永久磁石の機能をもったペンチに関するものである。
【背景技術】
【０００２】  従来のペンチには永久磁石機能を設けたペンチはなかった。
【考案の開示】
【考案が解決しようとする課題】
【０００３】  従来のペンチでは、手工芸の作業のとき小さな金属を扱うとき作業は容易でなく、イヤリングなどの鎖を接続する小さな分品をつかむのは大変であった。
【課題を解決するための手段】
【０００４】  ペンチのはしに永久磁石の機能を設ける。
以上の構成よりなる永久磁石の機能をもったペンチである。
【考案の効果】
【０００５】  ペンチのはしに永久磁石機能を設けているので、小さな鎖の輪をつなぐ部品をつかむことが容易になり、いままで手工芸作業が苦手な人でも時間の短縮になりだれでも出来るようになる。
【考案を実施するための最良の状態】
【０００６】  ペンチ本体のはしに、永久磁石を設けペンチに的した永久磁石用素材を用いる。
【実施例】
【０００７】  ペンチ本体２のはしに永久磁石を設け、金属製の細いものを切る刃３を付けている、又、４はグリップカバーを付けたにぎり分部、以上の構成による永久磁石の付いたペンチである。
【図面の簡単な説明】
【０００８】
【図１】本考案の正面図である。
【符号の説明】
【０００９】１  永久磁石用の素材をつかた磁石である
２  ペンチ本体である
３  刃
４  グリップラバーである
【図１】
0003126542.tif 000003
(57)【要約】      （修正有）【課題】本考案の家具は地震で倒れることを防ぐために形成された家具を提供する。【解決手段】本考案は、１家具本体に、２永久磁石を、１家具本体の内部より、３ネジで固着する、７壁面には金具を固着し、６コイルスプリングを設けていることにより地震で家具が倒れるのを防ぐ。【選択図】図１
0003126550.tif 000002
【実用新案登録請求の範囲】
【請求項１】
家具に永久磁石を設けた家具。
【請求項２】
請求項１記載の永久磁石を設けた家具を設置するための２本のコイルバネを設けたことを特徴とする金具。
【考案の詳細な説明】
【技術分野】
【０００１】  本考案は、地震で倒れる事を防ぐ機能を付けた家具に関するものである。
【背景技術】
【０００２】  地震で家具が倒れなくするための防災グッズとしてあるが天井で支えるものが多くあった。
【考案の開示】
【考案が解決しようとする課題】
【０００３】  地震で家具などが倒れる事を防ぐ色色なグッズはあるが天井で支えるものが多くあり、天井の強度問題があり、又外観美を損うこともある。
【課題を解決するための手段】
【０００４】  本考案は、家具本体の裏面上部左右に永久磁石固着し、壁面にコイルスプリングを設けた金具を固着し、以上の構成によるものであるから、天井の強度の問題又、外観美を損うこともなくコイルスプリング２本の付いた金具により家具又は壁の破損を最小限にすむものである。又磁力を強くするには永久磁石を複数固着することにより解決する。
【考案の効果】
【０００５】  上記の様に、永久磁石を家具本体に固着し、壁面にコイルスプリングの付いた請求項２の金具を付けることにより地震のとき家具と壁面の破損も最小限で済むものであり、又、天井で支える転倒防止具は天井の強度の心配もあり、又は外観美を損うそれぞれの次点を解決するものである。
【考案の実施するための最良の形態】
【０００６】  家具本体の裏面上部２ヶ所に永久磁石設ける、壁面にコイルスプリング２本付いた金具をネジて固着する、又家具本体に付いている永久磁石を取り外し出来るように家具の内側からネジで取り外しできるような構成で成るものである。
【実施例】
【０００７】  以下添付図面に従って考案の一実施例を説明する。１は家具本体で、２永久磁石を家具本体１の上部左右に内側から３ネジで固着する、４は金具の吸着分部の鉄板でコイルスプリング６を４鉄板に固着し、９金具ボックス本体２ヶ所に、５鉄パイプを固着する、４鉄板と  ６コイルスプリングを固着したものを、６コイルスプリングのほうから、５鉄パイプの中に入れて、９金具ボックス本体に、６コイルスプリングを固着する、７壁面に、８木ネジで取付る、以上の構造で成るから、壁と家具の間に矛軟性が生れ、被害を最小限ですむ家具である。
【図面の簡単な説明】
【０００８】
【図１】  本考案の永久磁石の付いた裏面の斜視図
【図２】  金具の吸着の平面図の断面図
【符号の説明】
【０００９】  １  金具本体
２  永久磁石
３  ネジ
４  鉄板
５  鉄パイプ
６  コイルスプリング
７  壁
８  木ネジ
９  金具ボックス本体
【図１】
0003126550.tif 000003
【図２】
0003126550.tif 000004
(57)【要約】【課題】  ゴミが戸別収集になり様々な形態で出されているゴミをむき出しで置くことは個人秘密の漏洩の心配もあり容器やネットを利用してのゴミ出しは、収集後の片付けが、ある。ゴミの日は街が雑然としている。以上の問題を解決するのが、吊紐付ゴミ収納バックである。【解決手段】  本考案は織目の密な張りのあるグリーン系色のネット素材を使い吊紐で、フェンス等に固定するので個人秘密の漏洩は気分的にやりにくくなる。又フタ部分には紐を付けた事によりカラスの被害もなく吊紐付ゴミ収納バックはグリーン系色であり中のゴミは見えなく早朝にゴミ出しをして外出しても街の景観を乱すことはない。【選択図】図１
0003126541.tif 000002
【実用新案登録請求の範囲】
【請求項１】
吊紐付ゴミ収納バックは、織目の密な張りのあるグリーン系色のネット素材でありゴミ収納部とフタは、一枚の素材より形成しフタ部分と収納部分前面に紐を付けるとともに、ゴミ収納部分の左右に吊下げる紐を付けフエンス等に固定した屋外で使用する吊紐付ゴミ収納バックである。
【考案の詳細な説明】
【技術分野】
【０００１】  本考案は、ゴミ収納バック及びフタ部分に紐を付けた、ゴミ収納バックに関するものである。
【背景技術】
【０００２】  ゴミが、戸別収集になってゴミを入れた容器や、ゴミに直接掛けるネット等で街の道路は清潔感がなくなった。
【考案の開示】
【考案が解決しようとする課題】
【０００３】  戸別収集のゴミは、各家の前に出されるが、個人秘密の漏洩の心配もある。又ゴミを出した容器等の、片付けもあり収集が終らないと外出できない。上記の欠点を、吊紐付ゴミ収納バックで解決するものである。
【課題を解決するための手段】
【０００４】  本考案は、織目の密な張りのあるグリーン系のネット素材を利用して袋部分とフタ部分が、一枚仕立の簡単なものである。吊紐付収納バックの左右には、吊下げるための紐を付けフェンス等に固定する。又フタ部分にも紐を付けることにより個人秘密の持ち出しも気分的にやりにくくなる。吊紐付ゴミ収納バックは屋外で使うものである。
【考案の効果】
【０００５】  上述の様に、本考案の吊紐付ゴミ収納バックは、中が見えないのでカラスの被害はなくゴミを入れて出した容器の片付けがなくゴミの収集後も心配がない。ゴミの日の街の景観がよくなる。
【考案を実施するための最良の形態】
【０００６】  収納バック１とフタ２を一枚のグリーン系色の目の密な張りのある素材より形成し収納バックは、袋部１ｂを有し収納バック１とフタ２の境界近くに紐の一端を固定し、他端をフェンス等に吊下げ固定した吊紐付きゴミ収納バックである。
【図面の簡単な説明】
【０００７】
【図１】本考案の吊紐付収納バックの実施例を示す正面図である
【図２】収納バック後部分でフタの境界近くに付ける吊紐の位置を示したものである
【図３】収納バック１とフタ２を一枚の素材より形成する図である
【符号の説明】
【０００８】  １    収納バック
１ａ  袋部分
１ｂ  袋部分
２    フタ
３ａ  吊紐付ゴミ収納バックの吊紐
３ｂ  吊紐付ゴミ収納バックの吊紐
４ａ  フタに付く紐
４ｂ  １ａに付く紐
【図１】
0003126541.tif 000003
【図２】
0003126541.tif 000004
【図３】
0003126541.tif 000005
(57)【要約】      （修正有）【課題】日本古来からの家紋を忘れさられることなく後世まで伝承すること。【解決手段】礼服の一部に家紋を刺繍で付け、この課題を解決する。【選択図】図１
0003126547.tif 000002
【実用新案登録請求の範囲】
【請求項１】
礼服の一部に家紋を刺繍によって取り付けた家紋付きの礼服。
【考案の詳細な説明】
【技術の分類】
【０００１】  本考案は礼服に関するものであり、礼服の一部に家紋を付ける事によって礼服が他人と区別が出来、後の人にも家紋を伝承することが出来るようにしたものである。
【背景技術】
【０００２】  従来から和装礼服には家紋の付いた、紋付き、羽織、袴がある。
【考案の開示】
【考案が解決しようとする課題】
【０００３】  しかし、従来のように和装礼服だけに家紋を付けていたのでは、和服を着用する機会が減ってきている現代において、何年か後には家紋が忘れられてしまうことになるので本考案は日本古来からの家紋を後世の時代まで伝承することを課題とする。
【課題を解決するための手段】
【０００４】  この問題を解決するための請求項１の考案は礼服の一部に家紋を刺繍によって取り付けることを考案した（図１）。【０００５】  しかし家紋は５０００種以上と種類も多く模様も複雑であり、これを繊細に表現するためにミシンの回転速度、針の太さ、糸の太さを改良することにより表現できたのである。
【考案の効果】
【０００６】  よって、本考案の家紋付き礼服により、家紋を忘れることなく後の人に伝承することができる。また他の人とも区別ができ、個性を表現することができる。
【考案を実施するための最良の形態】
【０００７】  図１は礼服のジャケットの襟の一部に刺繍により家紋を付けたことを特徴とする。【０００８】  図３は礼服のジャケットの胸のポケットの一部に刺繍により家紋を付けたことを特徴とする。【０００９】  本考案に係る家紋付きの礼服は工業的に量産することが可能であるため産業上の利用可能性を有する。
【図面の簡単な説明】
【００１０】
【図１】  ジャケットの襟の一部に家紋を付けた所の全体図である。
【図２】  ジャケットの襟の一部に家紋を付けた所の拡大図である。
【図３】  ジャケットの胸のポケットの一部に家紋を付けた所である。
【図４】  ジャケットの胸のポケットの一部に家紋を付けた所の拡大図である。
【見本の簡単な説明】
【００１１】  基本的な礼服生地に家紋を刺繍で取り付けたものである。黒地色には黒色で刺繍を取り付けるが、見本は繊細な部分が見やすいように鼠色で刺繍をしたものである。
【符号の説明】
１．刺繍で付けた家紋
２．ジャケットの襟
３．胸ポケット
【図１】
0003126547.tif 000003
【図２】
0003126547.tif 000004
【図３】
0003126547.tif 000005
【図４】
0003126547.tif 000006
(57)【要約】【課題】本考案は洗濯機で落ちない汚れ、少々の洗濯物、洗濯板使用時、簡単で早く落とし、手、腕の疲れを少なくする洗濯板を提供するものである。【解決手段】人工芝マットを板に設け、板に長足台、短足台を設け、人工芝洗濯板を斜設にして解決手段とした。【選択図】図１
0003126557.tif 000002
【実用新案登録請求の範囲】
【請求項１】
人工芝洗濯板に斜設となる長足台、短足台を設けたことを特徴とする人工芝洗濯板。
【考案の詳細な説明】
【技術分野】
【０００１】本考案は洗濯板に関する。
【背景技術】
【０００２】従来に波形凹凸溝を有する物、樹脂ネットを取り付けた洗濯板は知られている。
【考案の開示】
【考案が解決しようとする課題】
【０００３】しかしながら、頑固な落ちにくい汚れを落とすことは、従来、波形凹凸溝板、樹脂ネット板では、洗濯物摺接することで手、腕に抵抗が係り、疲れが大きく不利がある。
【課題を解決するための手段】
【０００４】本考案は頑固な汚れを落とす人工芝マットを板に張り付け、板を斜設構造となる足台を設けて、洗濯物を乗せ、摺椄して汚れを落とす。摺椄時の手、腕に抵抗をなくするためと、水切れを良くするために、人工芝洗濯板に斜設構造、長足台、短足台を設けて解決手段とした。
【考案を実施するための最良の形態】
【０００５】図に示すように、人工芝マット板に斜設となる構造の長足台、短足台を設けた形態である。【０００６】人工芝マット板を斜設となる構造の足台を設けることで、洗濯物を上から下方向に押して摺椄することで、手、腕に抵抗が係らず疲れが小さくなることと、洗濯物に含む余計な水分が流れてて、洗濯物の汚れを早く落とすことが出来る。
【考案の効果】
【０００７】本考案に係る人工芝洗濯板は、斜設構造にして使用することで、手、腕に抵抗を少なくすることで、洗濯物に含む水分を少なくして、汚れを早く落とすことに優れた効果がある。
【図面の簡単な説明】
【図１】本考案に係る人工芝洗濯板における工程図である。
【符号の説明】
１    人工芝洗濯板
２    長足台
３    短足台
【図１】
0003126557.tif 000003
(57)【要約】【課題】本考案は頑固な汚れの洗濯物を、破損防止と洗剤を節約する洗濯用具を提供する。【解決手段】人工芝マットを手袋の正面に設けて、左右（上下）で組み合わせ、摺椄することで解決手段とした。【選択図】図１
0003126558.tif 000002
【実用新案登録請求の範囲】
【請求項１】
人工芝マットを手袋の正面に設けたことを特徴とする人工芝付き手袋。
【考案の詳細な説明】
【技術分野】
【０００１】本考案は洗濯用具に関する。
【背景技術】
【０００２】従来より色々な構造の洗濯用具は使用され利点もあるが、人工芝付き手袋の洗濯用具は知られていない。
【考案の開示】
【考案が解決しようとする課題】
【０００３】しかしながら、靴下等頑固な落ちにくい汚れを落とすには、波形凹凸溝、樹脂ネットの洗濯用具では不利がある。
【課題を解決するための手段】
【０００４】本考案は頑固な汚れの靴下等、目の細かい繊維、合成樹脂人工芝の毛先で、洗剤使用、摺椄することで、繊維を破損防止と洗濯効率が良く、汚れを落とすことを解決手段とした。
【考案を実施するための最良の形態】
【０００５】図１に示すように、手袋形の正面に人工芝マットを張り付けて固定し、人工芝付き手袋は、左右で洗濯物を挟み付けて摺椄してもよい。
【考案の効果】
【０００６】本考案に係る人工芝付き手袋は手にはめ込み、洗濯物と洗剤で摺椄することで、手の疲れがなく、汚れの所だけ摺椄することで、汚れを早く落とすことと、洗剤の節約にもなり効果がある。
【図面の簡単な説明】
【図１】  本考案に係る人工芝付き手袋の工程図である。
【符号の説明】
１  手袋
２  人工芝マット
【図１】
0003126558.tif 000003
(57)【要約】【課題】  ごみ箱内部に使用するごみ袋はごみ箱の外に袋の余り端がはみ出して外視美観が損なわれていた。また、ごみを袋に入れると重みで下にずり落ちて外れる事もある。【解決手段】上蓋５と内箱体２と外箱体３からなるごみ箱１で、上蓋５を外した際に現れるごみ箱内部に袋４の余剰端部４ａを収納する空間７が設けられており、袋４の余り端４ａがその空間７内部に隠され、外視美観が損なわれない。また、蓋とごみ箱の開放端部２ａで袋が挟まれる事により、袋がずり落ちるのも防げる。【選択図】図１
0003126560.tif 000002
【実用新案登録請求の範囲】
【請求項１】
開口部を有するごみ箱本体と、その開口部を覆い、同じく開口を有する上蓋からなるごみ箱であって、前記ごみ箱本体は内部に収納された袋の余剰端部を入れる隙間を有するゴミ箱。
【請求項２】
請求項１に記載のごみ箱であって、前記上蓋は、被せる際に袋の余剰端部を前記ごみ箱本体内部に形成された隙間に押込む突起部分を有するごみ箱。
【請求項３】
前記上蓋とごみ箱本体の開放端部で袋を挟み、重いごみを入れてもずり落ちにくいように構成したごみ箱。
【考案の詳細な説明】
【技術分野】
【０００１】  この考案は、ごみ箱の内側に入れた袋の余り端がごみ箱の外側にはみ出すのを隠し、なおかつ袋の中に重いごみを捨てた際にもごみ箱内にずり落ちて袋の余り端がごみ箱の上部から外れにくいごみ箱に関する。
【背景技術】
【０００２】  ごみ箱には、ごみを衛生的に処理し、まとめて捨てられるよう、内部に別途袋やスーパー等で貰う買物袋を入れて使用される事が多い。（図２）
【考案の開示】
【考案が解決しようとする課題】
【０００３】  しかしながら、従来のごみ箱では、袋を取り付けると余り端がごみ箱の外側にはみ出て、ごみ箱の外視美観が損なわれていた。また、袋の中に重いごみを捨てた際に、重みで袋がごみ箱内部にずり落ちやすい。そこで、この考案はごみ箱内部に袋の余剰端部を収納しうる空間を設け、また、ごみ箱の上蓋とごみ箱本体の開放端部で袋を挟んでずり落ちにくい構成とする。
【課題を解決するための手段】
【０００４】請求項１においてはごみ箱を形成する収納体外周に別途収納される袋の余剰端部を収納しうる空間を設け、上蓋を開けるとこの収納空間が現れる。【０００５】袋の余剰端部をこの空間に入れ、上蓋を被せると袋が上蓋とゴミ箱の開放端部の間で挟まれて固定される。【０００６】  請求項２のごみ箱においては、前記上蓋の内部に突起部を形成し、上蓋をごみ箱本体に被せた際に袋の余剰端部を上記収納空間に押込む効果を持つ。
【考案の効果】
【０００７】  当ごみ箱は、（図１）に示すように、空間７を有し、そこに袋４の余剰端部４ａを収納することにより、上蓋５を被せた際にすっきりとした外視美観を保てる。上蓋に突起部６を設け、上蓋５を被せる際に同時に簡単に袋の余剰端部を押込む機能を持たせる事も出来る。また、上蓋と本体開放端部２ａに袋４が挟まれてごみ箱本体内に袋４がずり落ちにくい効果もある。
【考案を実施するための形態】
【０００８】  この考案の一実施形態を、図１に示す。ごみ箱１は内箱体２と外箱体３とより構成されており、これにより内箱体２の外周に空間７を設け、上蓋５を開けるとこの空間７が現れ、中に入れる袋４の余剰端部４ａを収納出来る。
【０００９】  上蓋５の内部に突起部６を設け、袋４を入れてから上蓋５を被せる際に、この突起部６が袋４の余剰端部４ａを外周空間７の中に押込み易くする。上蓋５には、開口部５ａが形成されており、この開口５ａを介してごみなどをごみ箱１本体内に捨てることが出来る。
【００１０】上蓋５が被せられると、上蓋５とごみ箱内部空間７を構成する開放放端部２ａの間に袋４が挟まれて簡単にずれないよう固定する事も出来る。
【００１１】ごみ箱外周の空間、及び突起部６の形状については、様々な形態が考えられる。
【産業上の利用可能性】
【００１２】  袋を入れて使用するごみ箱であれば、家庭用のみならず、事務所や公共の場で用いられる大型のごみ箱にも利用出来る。また、上蓋５内部突起６や空間７の形状、サイズを変える事により、他の様々な袋やデザインのごみ箱にも適用出来る。
【図面の簡単な説明】
【００１３】
【図１】この考案の一実施形態を示す断面図である。
【図２】従来技術を示す斜視図である。
【符号の説明】
１    ごみ箱
２    内箱体
２ａ  開放端部
３    外箱体
４    ごみ袋
４ａ  余り端部
５    上蓋
５ａ  上蓋開口部
６    突起
７    収納空間
【図１】
0003126560.tif 000003
【図２】
0003126560.tif 000004
(57)【要約】【課題】家屋の床下換気口１５に、本考案の床下用粘着剤付防虫ネットを取り付けることで、家屋の白蟻等の加害予防および加害把握が誰でも簡単に出来る様になる。【解決手段】本考案の床下用粘着剤付防虫ネットは、主に網６と取り付け、取り外しが出来る粘着剤付板３の構造を有している、家屋の床下換気口１５の外側部の全体を覆う程度のサイズである。また、床下用粘着剤付防虫ネットの取り付けは、接着剤１等による方法である。また、取り付け後は、白蟻に関しては群飛時期（５，６月頃）に、粘着剤付板交換口４より粘着剤付板３を差し込み、７月頃に粘着剤付板３を取り出し、羽白蟻等の付着有無を確認する。【選択図】図１
0003126511.tif 000002
【実用新案登録請求の範囲】
【請求項１】
網と、この網の内側に粘着剤が取り付けられる構造を有することを特徴とする床下用粘着剤付防虫ネット。
【請求項２】
前記粘着剤は床下用粘着剤付防虫ネットを取り付けた時に、網の内側に取り付けられることを特徴とする請求項１記載の床下用粘着剤付防虫ネット。
【請求項３】
前項粘着剤は交換が出来る構造を有することを特徴とする請求項２記載の床下用粘着剤付防虫ネット。
【考案の詳細な説明】
【技術分野】
【０００１】本考案は、家屋の床下の換気口用の防虫ネット、及び虫類等の粘着剤式捕獲用具に関する。
【背景技術】
【０００２】床下換気口の防虫ネットは、白蟻その他の虫類の進入を防止し、被害を防止する効果はあるが取り付けている家屋は少ない。また、家屋の白蟻等発生状況を把握するためには、主に専門技術をもった業者が床下に入り調査するのが一般的である為に自主的な調査も出来ずに、また調査依頼が遅れる等より白蟻等の対策が遅れる傾向にある。
【考案の開示】
【考案が解決しようとする課題】
【０００３】床下換気口に防虫ネットが付いていない家屋が多く見られ、家屋が白蟻その他の虫類の被害を受ける原因の一つとなっております。また、家屋の白蟻等発生状況を把握する為には、専門業者に依頼し調査を受けることが一般的ではあるが、調査依頼ということもあり、被害が進み床のきしみ等で被害が大きくなって、初めて白蟻等の被害を把握している状態も多く見られます。
【課題を解決すための手段】
【０００４】本考案の床下用粘着剤付防虫ネットは、外側の床下換気口部の全体を覆い隠す様に取り付ける為に白蟻その他の虫類の侵入を防ぎ、白蟻等発生予防になります。また、この床下用粘着剤付防虫ネットには、虫等の捕獲用粘着剤が取り付けられる様になっており、白蟻に関しては群飛時期（５，６月頃）に粘着剤を取り付け、７月頃に粘着剤を取り外して羽白蟻が付着しているかどうかを確認できることで、本考案一つで白蟻等の加害予防と加害把握が同時にできることになります。尚、本考案による羽白蟻の発生有無の確認は、白蟻の習性（年に一度の５，６月頃に羽白蟻は最初に巣内より明るい床下に飛び下り次により明るい換気口より屋外に飛び出す習性があり、その際に粘着剤に付着する）等を利用しています。
【考案の効果】
【０００５】本考案は、白蟻に関しては白蟻の習性を利用している為に、確実性が高く、本考案の床下用粘着剤付防虫ネットの取り付け後は粘着剤の交換のみなので安価でかつ簡単に取り付けが出来る為に、誰もが定期的に出来る様になり、加害予防、発生の初期的より把握できる様になる。また、本考案は、床下の全換気口に取り付ける様になっている為に、白蟻等の付着場所より巣場所が分かりやすくなる為、対策がとりやすくなる。
【実施例１】
【０００６】本考案の構造は、接着剤１部分を有する例えば１５０ｍｍ×３８０ｍｍの長方形状で、この長方形状部分を網６が覆っており、家屋の床下換気口１５の外側全体を覆う様に本体Ａ面２側の接着剤１等で、取り付ける様になっている。取り付け後は、白蟻に関しては群飛時期（５，６月頃）に粘着剤付板３（例えば１００ｍｍ×１５０ｍｍの長方形状）を粘着剤付板交換口４より差し込み、７月頃に粘着剤付板３を取り外し、羽白蟻等の付着有無を確認する。本考案全体の材質は、安価で風雨等の外の環境に耐えうる合成樹脂製その他とするが、粘着剤付板３は透明性を有するものとし、網６の目は白蟻等が通過できない程度のものとする。また、粘着剤付板３の粘着剤８は、虫類等に使用している一般的な粘着剤であるが、外気等に対し乾燥し難い、羽白蟻等が付着し易いものを使用する。また、本発明の寸法は、各家屋の床下換気口１５のサイズに合わせて、数種類の好適なサイズに標準化する。
【図面の簡単な説明】
【０００７】
【図１】  本考案の外観斜視図である。
【図２】  図１の裏側の外観斜視図である。
【図３】  図１の断面図である。
【図４】  図１の粘着剤付板の斜視図である。
【図５】  家屋の略式外観正面図である。
【図６】  家屋の略式断面図である。
【符号の説明】
【０００８】  １接着剤
２本体Ａ面
３粘着剤付板
４粘着剤付板交換口
５粘着剤付板止
６網
７本体Ｂ面
８粘着剤
９家屋外壁
１０床下基礎部
１１地面
１２床下用粘着剤付防虫ネット
１３家屋屋内
１４粘着剤付板に付着した羽白蟻
１５床下換気口
１６床下
１７羽白蟻
【図１】
0003126511.tif 000003
【図２】
0003126511.tif 000004
【図３】
0003126511.tif 000005
【図４】
0003126511.tif 000006
【図５】
0003126511.tif 000007
【図６】
0003126511.tif 000008
【手続補正書】
【提出日】平成18年7月28日(2006.7.28)
【手続補正１】
【補正対象書類名】実用新案登録請求の範囲
【補正対象項目名】全文
【補正方法】変更
【補正の内容】
【実用新案登録請求の範囲】
【請求項１】
建物の床下換気口に取り付けられる床下用粘着剤付防虫ネットであって、枠状の本体に張られた網と、この網の部分に取り付けられる粘着剤付板とを備えたことを特徴とする床下用粘着剤付防虫ネット。
【請求項２】
前記本体には、前記粘着剤付板の差し込み設置・取り外しが出来る粘着剤付板交換口・粘着剤付板止が形成されていることを特徴とする請求項１記載の床下用粘着剤付防虫ネット。
(57)【要約】【課題】本考案はスポンジのマグネットである。【解決手段】本考案は従来不可能とされていた、スポンジのマグネットを、加硫系をフェライト、または希土類などマグネット素材で行わせることにより可能にしたものである。【選択図】図１
0003126517.tif 000002
【実用新案登録請求の範囲】
【請求項１】
ゴムおよび合成樹脂のスポンジマグネット
【請求項２】
スポンジが独立気泡の特徴を有する請求項１のスポンジマグネット
【請求項３】
ゴムがクロロプレンであり独立気泡を特徴とする請求項１のマグネットスポンジ
【考案の詳細な説明】
【技術分野】
【０００１】    本考案はゴム及び合成樹脂の発泡体のマグネットに関するものである。
【背景技術】
【０００２】  従来磁気健康ベルトなどにおいて、布ベルトにポケットをつけ、その中に固形の磁石を入れて使用したり、安眠まくら、アイマスクなどスポンジとマグネットを併用した商品は多数開発されているが、スポンジ自体がマグネットのものはない。
【考案の開示】
【考案が解決しようとする課題】
【０００３】  スポンジと磁石を併用した商品は数多くあるが、スポンジそのものが磁石になったものは現在まで開発されていない為、製造に手間、コストがかかる上デザインにも制限があった。
スポンジマグネットが出来れば、製造コストは大幅に低減される上デザインの選択枝も大幅に拡がる。
【課題を解決するための手段】
【０００４】  ゴム磁石を造る場合一般にフェライト又は希土類磁石のサマリュウムコバルト、ネオジウムなどをゴム中に混練してそれを着磁する訳であるが、そのものがゴムの架橋に影響を与える為発泡体は難しいとされていた。そこでこの課題を解決する為［考案を実施する為の最良の形態］で示す如くゴム用の架橋剤、老化防止剤及び加硫促進剤の種類、量を調整しフェライト等磁石素材そのものを、架橋剤および加硫促進剤として働かせる事により解決した。【０００５】  充填量としては、例えばバリュームフェライト、ネオジウムを磁力に応じて１００ＰＨＲ〜１０００ＰＨＲ混入する事ができる。
【考案の効果】
【０００６】  スポンジ自体が磁石になる事により、従来スポンジと磁石を接着、縫製で一体化していた商品はほとんどこのスポンジマグネット単体で製品化できる。しかもスポンジであるため、計量化も図れ製造コストの低減、デザインの選択幅の広がり等その産業上の効果ははかりしれない。【０００７】  スポンジマグネットを造る場合、磁力の強さ、コスト、比重の面からネオジュウムが最も適しており、着磁方法としては片面多極着磁が望ましい。【０００８】  またスポンジである為、布帛もラミネート出来る為人体に密着して用いる用途には適している。
【考案を実施する為の最良の形態】
【０００９】  以下にクロロプレンゴムのスポンジマグネットを造る場合の配合例を表示する。
・クロロプレンゴムＴＳＲ４２・・１００ＰＨＲ
・＃２１黒サブ・・・・・・・・・２０
・酸化マグネシュウム・・・・・・  ６
・白色ワセリン・・・・・・・・・  ３
・硫黄・・・・・・・・・・・・・  ５
・老化防止剤ノクラックＮＳ−６    １
・老化防止剤ノクラック
・      ＮＳ−１０−Ｎ・・・・・  ０．６
・発泡剤ＦＥ５５８Ｗ・・・・・  １４
・亜鉛華・・・・・・・・・・・    ６
・ＤＥＧ・・・・・・・・・・・    ０．４
・ＤＯＰ・・・・・・・・・・・  ２０
・ＮＰ２４・・・・・・・・・・  ４０
・バリュムフェライト・・・  １０００
【００１０】加硫条件
１次プレス１２５℃×２５分
２次プレス１５０℃×１５
見掛け密度        ０．８４
【００１１】・ＥＶ１７０・・・・・・・・・・・８０
・ＩＲ２２００・・・・・・・・・・２０
・ＰＥＧ・・・・・・・・・・・・・・０．６
・ニプシールＶＮ３・・・・・・・・１０
・透明性亜鉛・・・・・・・・・・・・２
・ビニホール・・・・・・・・・・・１０
・ＤＣＰ・・・・・・・・・・・・・・１．４
・ＤＯＰ・・・・・・・・・・・・・１０
・バリュームフェライト・・・・・２００
【００１２】加硫条件
１６０℃×５分
見掛け密度        ０．３１４
【実施例】
【００１３】  配合例で示したスポンジマグネットを使用してフィッシング手袋、アイマスク等を作成する場合の構造を図１により説明する。図１の１は着磁したスポンジマグネットである。着磁していない面に着脱を容易にするためと、ミシン縫製を可能にするために３の接着剤を用いて、４のナイロンジャージをラミネートする。磁気を必要とする側にスポンジマグネットの着磁面を用いる。例えば図２のフィッシング手袋の手のひらに使用する場合、内側にナイロンラミネート面を用い、外側にスポンジマグネットの着磁を用いて釣針を引っ付けて使用する。
【図面の簡単な説明】
【００１４】
【図１】スポンジマグネットを商品に使う場合の断面の構成図である。
【図２】スポンジマグネットを使用したフィッシング手袋の構成図である。
【符号の説明】
【００１５】１  スポンジマグネット
２  着磁したバリュウムフェライト
３  接着剤
４  ナイロンジャージ
５  ナイロンジャージを裏表ラミネートしたクロロプレンスポンジ
６  着磁面
【図１】
0003126517.tif 000003
【図２】
0003126517.tif 000004
【手続補正書】
【提出日】平成18年7月20日(2006.7.20)
【手続補正１】
【補正対象書類名】実用新案登録請求の範囲
【補正対象項目名】全文
【補正方法】変更
【補正の内容】
【実用新案登録請求の範囲】
【請求項１】
ゴム及び合成樹脂の磁石のゴム又は合成樹脂部分がスポンジの構造を有するスポンジマグネット
【請求項２】
請求項１のスポンジが独立気泡の形状を有するスポンジマグネット
【請求項３】
請求項１のスポンジがクロロプレンゴムの独立気泡の構造を有すスポンジマグネット
(57)【要約】      （修正有）【課題】ホチキス針の空打ちで起こる突然の中断にたいして、慌てることなく、気持ちよく、効率的に作業を進められる空うち防止ホチキス針を提供する。【解決手段】ホチキス針の一部（最終部分３本）をカラー化する。【選択図】図１
0003126516.tif 000002
【実用新案登録請求の範囲】
【請求項１】
空打ちせずに済むことを特徴とするホチキス針。
【請求項２】
針の最終部分をカラー化することで、作業者が目で確認出来ることを特徴とする請求項１記載のホチキス針。
【考案の詳細な説明】
【技術分野】
【０００１】  この考案は、作業者が空打ちせずに済むホチキス針に関する。
【背景技術】
【０００２】  従来のホチキスは、セットしていた針が尽きたことを空打ちして始めて知り、作業中断を余儀なくされる。本ホチキス針は、針セットの最終部分３針のみをカラー化することによって、目で見て終了近い事が誰にでもわかることを狙いとして考案された。
【考案の開示】
【考案が解決しようとする課題】
【０００３】  ホチキス針の空打ちで起こる突然の中断にたいして、慌てることなく、気持ちよく、効率的に作業を進められるための考案を提供することを課題とする。
【課題を解決するための手段】
【０００４】  以上の課題を解決するために、針セットの最終部分３針のみをカラー化する。
【考案の効果】
【０００５】  上記考案に依れば、資料など、大量のホチキス止めを行うことの多い事務所で、空打ち、「あ〜！  針が無くなった！」からの解放による安心感、又、作業の効率化を測ることが出来る。
【考案を実施するための最良の形態】
【０００６】  このホチキス針は、最終残３本がカラー化されているため、カラー針が出てきた段階で残り２本で無くなることが誰にでも予測出来るため、次の針を用意し、空打ちする前に針の充填をすることが出来る。
この考案の一実施形態を、図１に示す。【０００７】  ホチキス針は従来の針そのものであるが、最終部分３本がカラー化されていることにより、残り２本で終わることが分かる。このカラー化は、針の大小に関係なくすべての針に応用出来る。（図１）最終部分３本のみカラー化（蛍光灯でも見えやすい明るい色）する。
「実施形態の効果」【０００８】  この実施形態によれば、カラー針が出てくることにより、ホチキス針の最終残がわかり手早く新しい針に取り替える準備ができて効率的であり、空打ちの不快感からも解放される。オフィスでは女子事務員が作業をすることが多く、箱ごとにカラーを多色化し、各色そろえる等、楽しさの演出も可能であるため、販売促進の一助ともなる。
【図面の簡単な説明】
【０００９】この考案の一実施形態を、図１に示す。
【図１】従来のホチキス針の開口部分を下に、右端の３針をカラー化する。
【図２】従来のホチキス針
【図３】打ち上がりの残量マークはこのように現われる
【符号の説明】
【００１０】〔図１〕１．カラー化部分  最終部分３本のみカラー化（蛍光灯でも見えやすい色）
〔図２〕
〔図３〕１．残量カラー表示マーク
２．まだ大丈夫マーク
【図１】
0003126516.tif 000003
【図２】
0003126516.tif 000004
【図３】
0003126516.tif 000005
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
５０本からなるホチキス針１セットの片側、端より３本分（３打分）を、カラー針金を用いて接着するという構造を有するホチキス針